(57)【要約】【課題】光輝性を有しつつ、様々なバリエーションの色の発色安定性が高く、これまでにない外観を実現した漆製品を提供すること。【解決手段】  基材である木地２表面上に形成された漆層３と、その漆層３上に形成されたウレタン層４と、そのウレタン層４上に形成されたメタリック層５とを有する漆製品１であって、漆層３、ウレタン層４及びメタリック層５は、光が透過するようになっており、基材である木地２の表面の色及び模様、漆層３の色、ウレタン層４の色、並びに、メタリック層５の光沢及び色が、その外観に影響するようになっている。【選択図】  図１
0003220970.tif 000002
【実用新案登録請求の範囲】
【請求項１】
基材表面上に形成された漆層と、
その漆層上に形成されたウレタン層と、
そのウレタン層上に形成されたメタリック層とを有する漆製品であって、
漆層、ウレタン層及びメタリック層は、光が透過するようになっており、基材表面の色及び模様、漆層の色、ウレタン層の色、並びに、メタリック層の光沢及び色が、その外観に影響するようになっていることを特徴とする漆製品。
【請求項２】
基材表面上に形成された漆層と、
その漆層上に形成されたメタリック層とを有する漆製品であって、
漆層及びメタリック層は、光が透過するようになっており、基材表面の色及び模様、漆層の色、並びに、メタリック層の光沢及び色が、その外観に影響するようになっていることを特徴とする漆製品。
【請求項３】
基材が、その表面に木目模様を有することを特徴とする請求項１又は２の漆製品。
【請求項４】
メタリック層が、金属からなる光輝材とウレタン樹脂塗料とを混合した材料からなることを特徴とする請求項１から３のいずれかに記載の漆製品
【請求項５】
メタリック層が、金属からなる光輝材とウレタン樹脂塗料と着色材料とを混合した材料からなることを特徴とする請求項１から３のいずれかに記載の漆製品
【請求項６】
メタリック層がまだら模様を有しており、このまだら模様も、その外観に影響するようになっていることを特徴とする請求項１から５いずれかに記載の漆製品。
【考案の詳細な説明】
【技術分野】
【０００１】
本考案は、基材に漆を塗布することによって形成された漆層を有する漆製品に関するものである。
【背景技術】
【０００２】
従来、光輝性を有する塗料を塗布した製品が開発されている。
【０００３】
特開２０１３−１８９００１号公報に示すように、光輝材を含む塗料を基材に塗布することで、製品外観の光輝性を実現することができる。
【０００４】
漆製品において、従来にはない様々なバリエーションの色が求められており、漆に着色材料を混合することによって、様々な発色が可能な色漆が存在する。
【０００５】
光輝材を含む色漆を塗布することで、光輝性を有する様々なバリエーションの色の漆製品を実現することができる。
【先行技術文献】
【特許文献】
【０００６】
【特許文献１】特開２０１３−１８９００１号公報
【考案の概要】
【考案が解決しようとする課題】
【０００７】
しかしながら、光輝材を含む色漆を塗布した場合、乾燥環境、漆に混合する着色材料の成分や量、光輝材の成分や量等の様々な要因によって、色漆の発色安定性が低くなるという問題があった。
【０００８】
そこで、本考案は、光輝性を有しつつ、様々なバリエーションの色の発色安定性が高く、これまでにない外観を実現した漆製品を提供することを目的とするものである。
【課題を解決するための手段】
【０００９】
本考案の請求項１の漆製品は、基材表面上に形成された漆層と、その漆層上に形成されたウレタン層と、そのウレタン層上に形成されたメタリック層とを有する漆製品であって、漆層、ウレタン層及びメタリック層は、光が透過するようになっており、基材表面の色及び模様、漆層の色、ウレタン層の色、並びに、メタリック層の光沢及び色が、その外観に影響するようになっている。
【００１０】
請求項１の漆製品の漆製品によれば、メタリック層の光沢によって光輝性が実現する。加えて、漆層のみで発色するのではなく、基材表面の色、漆層の色、ウレタン層の色、及び、メタリック層の色によって、様々なバリエーションの色が実現する。そのため、発色が色漆のみに依存する場合に比べて、乾燥環境、漆に混合する着色材料の成分や量、光輝材の成分や量等の発色安定性を低下させる様々な要因の影響を抑制することができる。
【００１１】
メタリック層と漆層とを分けたことによって、メタリック層での光輝性による光の反射位置が表層近くであり、漆層での光の反射位置が表層から離れており、これまでにない漆製品の外観を実現することができる。
【００１２】
また、漆層とメタリック層との間にウレタン層があることによって、メタリック層を形成する前に、ウレタン層を研磨して、漆層を傷つけることなくメタリック層の付着性を向上させることができる。
【００１３】
本考案の請求項２の漆製品は、基材表面上に形成された漆層と、その漆層上に形成されたメタリック層とを有する漆製品であって、漆層及びメタリック層は、光が透過するようになっており、基材表面の色及び模様、漆層の色、並びに、メタリック層の光沢及び色が、その外観に影響するようになっている。
【００１４】
請求項２の漆製品の漆製品によれば、メタリック層の光沢によって光輝性が実現する。加えて、漆層のみで発色するのではなく、基材表面の色、漆層の色、及び、メタリック層の色によって、様々なバリエーションの色が実現する。そのため、発色が色漆のみに依存する場合に比べて、乾燥環境、漆に混合する着色材料の成分や量、光輝材の成分や量等の発色安定性を低下させる様々な要因の影響を抑制することができる。
【００１５】
メタリック層と漆層とを分けたことによって、メタリック層での光輝性による光の反射位置が表層近くであり、漆層での光の反射位置が表層から離れており、これまでにない漆製品の外観を実現することができる。
【００１６】
本考案の請求項３の漆製品は、請求項１又は２の考案において、基材が、その表面に木目模様を有する。
【００１７】
請求項３の漆製品は、請求項１又は２と同様の作用を有する上に、漆層、ウレタン層及びメタリック層は、光が透過するようになっているので、基材の木目模様も漆製品の外観に現れるようにすることができる。
【００１８】
本考案の請求項４の漆製品は、請求項１から３のいずれかの考案において、メタリック層が、金属からなる光輝材とウレタン樹脂塗料とを混合した材料からなる。
【００１９】
請求項４の漆製品は、請求項１から３のいずれかと同様の作用を有する上に、漆層とは別のメタリック層に金属からなる光輝材が混合されることによって、漆層の発色安定性に与える影響を抑制することができる。また、光輝性の調整を容易に行うことができる。
【００２０】
本考案の請求項５の漆製品は、請求項１から３のいずれかの考案において、メタリック層が、金属からなる光輝材とウレタン樹脂塗料と着色材料とを混合した材料からなる。
【００２１】
請求項５の漆製品は、請求項１から３のいずれかと同様の作用を有する上に、漆層とは別のメタリック層に金属からなる光輝材と着色材料とが混合されることによって、漆層の発色安定性に与える影響を抑制することができる。また、光輝性及び発色の調整を容易に行うことができる。
【００２２】
本考案の請求項６の漆製品は、請求項１から５のいずれかの考案において、メタリック層がまだら模様を有しており、このまだら模様も、その外観に影響するようになっている。
【００２３】
請求項６の漆製品は、請求項１から５のいずれかと同様の作用を有する上に、メタリック層のまだら模様が漆製品の外観に現れるようにすることができる。
【考案の効果】
【００２４】
請求項１から６の漆製品は、光輝性を有しつつ、様々なバリエーションの色の発色安定性が高く、これまでにない外観を実現することができる。
【図面の簡単な説明】
【００２５】
【図１】本考案の一実施の形態を示す漆製品の断面図である。
【考案を実施するための形態】
【００２６】
本考案の一実施の形態を示す漆製品１を図面に基づいて説明する。
【００２７】
漆製品１は、基材である容器形状の木地２と、容器形状の木地２の外表面上に形成された漆層３と、その漆層３上に形成されたウレタン層４と、そのウレタン層４上に形成されたメタリック層５とを有する。なお、容器形状の木地２の内表面上には、漆層３が形成され、その漆層３上にウレタン層４が形成されている。
【００２８】
木地２は、白木地に木地固めを行い、さらに、木地の木目を浮き出たせる拭き漆及び拭きウレタンを複数回行ったものである。
【００２９】
漆層３は、上記の工程を経た木地２の表面に、さらに拭き漆で仕上げの塗りを行って形成された。漆層３は光が透過するようになっている。
【００３０】
ウレタン層４は、漆層３上にウレタン塗料の吹付塗装を行って形成された。ウレタン層４も光が透過するようになっている。
【００３１】
次に木地２の外表面側のウレタン層４の表面を研磨する。研磨することによって、ウレタン層４上に形成されたメタリック層５の付着性を向上させることができる。
【００３２】
メタリック層５は、研磨された外表面側のウレタン層４上にメタリック塗料の吹付塗装を行って形成された。メタリック層５も光が透過するようになっている。
【００３３】
また、メタリック層５は、まだら模様を有する。
【００３４】
メタリック塗料は、アルミ等の金属ペーストとウレタン樹脂塗料を混合し、さらに、着色材料を混合したものである。混合する着色材料の色に応じて、メタリック塗料の色が変化するので、様々なバリエーションの色のメタリック塗料を作製することができる。
【００３５】
上記のように、漆層３、ウレタン層４及びメタリック層５は、光が透過するようになっている。
【００３６】
漆製品１の容器形状の外表面の外観は、木地２の色及び模様である木目、漆層３の色、ウレタン層４の色、並びに、メタリック層５の光沢、色及びまだら模様の影響を受ける。そのため、これまでにない漆製品の外観を実現することができる。
【００３７】
上記実施形態では、基材が木である場合を場合について説明したがこれに限定されることはない。基材は、プラスチック、ガラス等の漆が塗布できる材料であればよい。
【００３８】
上記実施形態では、木地２は、容器形状である場合について説明したが、これに限定されることはない。木地２は、板材、立体形状等、容器以外の形状であってもよい。
【００３９】
上記実施形態では、漆製品１はウレタン層４が存在する場合について説明したが、これに限定されることはない。基材表面上に形成された漆層と、その漆層上に形成されたメタリック層とを有する漆製品であってもよい。
【００４０】
上記実施形態では、メタリック層が、金属からなる光輝材とウレタン樹脂塗料と着色材料とを混合した材料からなる場合について説明したが、これに限定されることはない。メタリック層が、金属からなる光輝材とウレタン樹脂塗料とを混合した材料であってもよい。
【００４１】
上記実施形態では、メタリック層がまだら模様を有する場合、について説明したが、これに限定されることはない。メタリック層が無模様であってもよい。
【符号の説明】
【００４２】
１  漆製品
２  木地
３  漆層
４  ウレタン層
５  メタリック層
【図１】
0003220970.tif 000003